(57)【要約】      （修正有）【課題】正極集電体の少なくとも一面に正極活物質コーティング部を含む正極と、負極集電体の少なくとも一面に負極活物質コーティング部を含む負極とが、分離膜を介して対向するように巻回した電池の安全性を向上させる。【解決手段】前記正極の巻回開始部は、正極集電体１１０の上・下部に正極活物質コーティング部１２０ａ、１２０ｂを有することにより、正極無地部を含まず、正極巻回終了部にだけ正極タブ１６０を設けるための正極無地部を含み、前記正極巻回終了部に位置し、前記負極と対向する正極活物質コーティング部の境界面には絶縁テープ１９０ａ、１９０ｂを含む電池を提供する。本発明のように正極活物質非コーティング部と負極活物質コーティング部１４０ａ、１４０ｂとが向い合う位置における正極活物質コーティング境界部に絶縁テープ１９０ａ、１９０ｂを備えることにより、電気絶縁性を確保でき、電池の安全性を向上させることができる。【選択図】図４
2014179334.tif 000002
【特許請求の範囲】
【請求項１】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の上部面及び下部面に正極活物質コーティング部を有することにより、正極無地部を含まず、正極巻回終了部にだけ正極タブを設けるための正極無地部を含み、
前記正極巻回終了部に位置し、前記負極と対向する正極活物質コーティング部の境界面には絶縁テープを含み、
前記正極は、前記巻回開始部では前記正極集電体の上部面及び下部面の前記正極活物質コーティング部の開始点が同一であり、前記巻回終了部では前記正極集電体に塗布された上部面及び下部面の正極活物質コーティング部の長さが異なり、少なくとも一面の正極活物質コーティング部の他面は正極活物質コーティング部を有さない正極活物質非コーティング部から構成され、
前記正極活物質コーティング部の境界面に形成される絶縁テープの開始部は、電池が巻回される曲率半径（Ｒ）の領域以前の位置から始めて前記曲率半径の領域の折り返し点を経つように形成され、かつ、前記負極の末端部より長く形成される、
電池。
【請求項２】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の上部面及び下部面に正極活物質コーティング部を有することにより、正極無地部を含まず、正極巻回終了部にだけ正極タブを設けるための正極無地部を含み、
前記正極無地部の末端部の少なくとも一面に正極活物質コーティング部をさらに含み、
前記正極巻回終了部に位置し、前記負極と対向する正極活物質コーティング部の境界面には絶縁テープを含み、
前記正極は、前記巻回開始部では前記正極集電体の上部面及び下部面の前記正極活物質コーティング部の開始点が同一であり、前記巻回終了部では前記正極集電体に塗布された上部面及び下部面の正極活物質コーティング部の長さが異なり、少なくとも一面の正極活物質コーティング部の他面は正極活物質コーティング部を有さない正極活物質非コーティング部から構成され、
前記正極活物質コーティング部の境界面に形成される絶縁テープの開始部は、電池が巻回される曲率半径（Ｒ）の領域以前の位置から始めて前記曲率半径の領域の折り返し点を経つように形成され、かつ、前記負極の末端部より長く形成される、
電池。
【請求項３】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の上部面及び下部面に正極活物質コーティング部を有することにより、正極無地部を含まず、正極巻回終了部にだけ正極タブを設けるための正極無地部を含み、
前記正極巻回終了部に位置し、前記負極と対向する正極活物質コーティング部の境界面には絶縁テープを含み、
前記正極は、前記巻回開始部では前記正極集電体の上部面及び下部面の前記正極活物質コーティング部の開始点が同一であり、前記巻回終了部では前記正極集電体に塗布された上部面及び下部面の正極活物質コーティング部の長さが異なり、少なくとも一面の正極活物質コーティング部の他面は正極活物質コーティング部を有さない正極活物質非コーティング部から構成され、
前記電池は渦巻き型に巻回した構造を有し、前記渦巻き型に巻回した構造の少なくとも一部に扁平部を有し、かつ、前記絶縁テープの一端部及び前記正極活物質のコーティング部の境界面は前記扁平部に位置する、
電池。
【請求項４】
前記正極無地部の末端部の少なくとも一面に正極活物質コーティング部をさらに含む、請求項３に記載の電池。
【請求項５】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部および巻回終了部には正極無地部を含み、前記巻回開始部及び巻回終了部の少なくとも一方の正極無地部には電極タブが設けられ、ここで前記電極タブが設けられる方の正極無地部末端には絶縁テープを含み、
前記正極の巻回終了部に位置し、前記負極と対向する正極活物質コーティング部の境界面には絶縁テープを含み、
前記正極活物質コーティング部の境界面に形成される絶縁テープの開始部は、電池が巻回される曲率半径（Ｒ）の領域以前の位置から始めて前記曲率半径の領域の折り返し点を経つように形成され、かつ、前記負極の末端部より長く形成される、
電池。
【請求項６】
前記絶縁テープは、前記巻回開始部を基準として前記正極集電体の上部面及び下部面の両末端の正極活物質コーティング境界面に構成されることを特徴とする請求項１〜４のいずれか１項に記載の電池。
【請求項７】
前記絶縁テープは、前記巻回開始部を基準として前記正極集電体の上部の両末端の正極活物質コーティング境界面と、前記正極集電体の下部の両末端の正極活物質コーティング境界面、および前記正極無地部の末端の正極活物質コーティング境界面に構成されることを特徴とする請求項２又は４に記載の電池。
【請求項８】
前記絶縁テープは、前記巻回開始部を基準として前記正極集電体の上部の末端の正極活物質コーティング境界面、前記正極集電体の下部の末端の正極活物質コーティング境界面、および前記電極タブが設けられた方の正極集電体の末端に構成されることを特徴とする請求項５に記載の電池。
【請求項９】
前記絶縁テープは、巻回工程で形成されるか、又は電極コーティング工程で貼付されることを特徴とする、請求項１〜８のいずれか１項に記載の電池。
【請求項１０】
前記電池の正極タブと負極タブとは上下方向であることを特徴とする請求項１〜９のいずれか１項に記載の電池。
【請求項１１】
前記負極は、前記巻回開始部又は前記巻回終了部の少なくともいずれか一方に負極タブを接続するための負極活物質コーティング部を含まない負極無地部を有し、前記負極タブが接続された負極集電体の反対面には、前記負極タブに対応する位置に少なくとも２層以上の絶縁層を有することを特徴とする請求項１〜１０のいずれか１項に記載の電池。
【請求項１２】
前記負極の巻回開始部である先端部の負極無地部のカッティング面は、複数の分離膜によって絶縁保護されることを特徴とする請求項１〜１１のいずれか１項に記載の電池。
【請求項１３】
前記分離膜は負極の終了部よりも延びて構成されることを特徴とする請求項１〜１２のいずれか１項に記載の電池。
【請求項１４】
前記分離膜は、負極の終了部から少なくとも５ｍｍ以上延びることを特徴とする請求項１３に記載の電池。
【請求項１５】
前記絶縁テープは、ポリイミドテープ、アセテートテープ、ｇｌａｓｓ ｃｌｏｔｈテープ、ポリエステルテープ、硫化ポリフェニレン(Ｐｏｌｙｐｈｅｎｙｌｅｎｅｓｕｌｆｉｄｅ、ＰＰＳ)およびポリプロピレン(ｐｏｌｙｐｒｏｐｙｌｅｎｅ)からなる群より選択される１種以上であることを特徴とする請求項１〜１４のいずれか１項に記載の電池。
【請求項１６】
前記絶縁テープは、ポリエチレンテレフタレートであることを特徴とする請求項１５に記載の電池。
【請求項１７】
前記絶縁テープの厚さは、１０〜１００μｍであることを特徴とする請求項１〜１６のいずれか１項に記載の電池。
【請求項１８】
請求項１〜１７の何れか１項に記載の電池を角形電池缶に収容し、ここに非水電解質を含む角形電池。
【請求項１９】
電池は、前記扁平部及び湾曲部を巻回方向に沿って順に有し、かつ、
前記絶縁テープの他端部は前記巻回方向から見て当該扁平部に続く前記湾曲部に位置する、請求項３又は４に記載の電池。
【請求項２０】
前記湾曲部は折り返し領域を有し、前記負極の巻回終了部にある負極無地部が前記折り返し領域の近傍に位置し、かつ、
前記絶縁テープの他端部は、前記折り返し領域よりも前記巻回方向に伸びている、請求項１９に記載の電池。
【発明の詳細な説明】
【技術分野】
【０００１】
本発明は、絶縁特性が向上した電池に関し、特に正極活物質非コーティング部と負極活物質コーティング部とが向い合う位置における正極活物質コーティング境界部に絶縁テープを備えることにより、電気絶縁性を確保でき、電池の安全性を向上させた電池に関する。
【背景技術】
【０００２】
通常、充電が不可能な一次電池とは異なり、充放電が可能な二次電池は、デジタルカメラ、セルラーフォン、ノートブック型パソコン、ハイブリッド自動車など先端分野の開発により活発な研究が行われている。二次電池としては、ニッケル-カドミウム電池、ニッケル-メタルヒドリド電池、ニッケル-水素電池、リチウム二次電池などが挙げられる。
【０００３】
この中で、リチウム二次電池は、作動電圧が３.６Ｖ以上であって、携帯用電子機器の電源として用いられたり、或いは、数個を直列に接続して高出力のハイブリッド自動車に用いられるが、ニッケル-カドミウム電池やニッケル-メタルヒドリド電池に比べ作動電圧が３倍高く、単位重量当たりのエネルギー密度の特性にも優れるので、その使用が急速に増加している傾向にある。
【０００４】
一般に、リチウムイオン電池は、正極と負極を分離膜により絶縁させ、これを円筒状又は、扁平状に巻回させ、これを金属缶に収納した後、電解液を注入し缶を密封して製造する。
【０００５】
通常のリチウムイオン電池は、正極集電体の片面、または、両面に正極活物質コーティング部を含む正極と、負極集電体の片面、または、両面に負極活物質コーティング部を含む負極とが複数の分離膜を介して巻回される。
【０００６】
なお、前記各集電体の両面に各活物質コーティング部が構成される場合、片面の活物質コーティング部は、他面のコーティング部の長さよりも短く形成されることが一般的であり、通常、負極シートの長さおよび幅を正極のそれよりも大きく構成することにより、正極から発生したリチウムイオンが抜け出ないようにする。
【０００７】
次の図１は、従来電池構造の断面を示すものであり、図２はそれを渦巻き(Ｊｅｌｌｙ-Ｒｏｌｌ)状に巻回した構造を示すものであるが、これを参照して具体的に述べると、正極集電体１０の少なくとも一面に正極活物質コーティング部２０ａ、２０ｂを含む正極と、負極集電体３０の少なくとも一面に負極活物質コーティング部４０ａ、４０ｂを含む負極とが、複数の分離膜５０ａ、５０ｂを介して対向するように構成されている。
【０００８】
なお、前記正極集電体１０と負極集電体３０の巻回開始部又は終了部の少なくとも一方には、前記電極活物質コーティング部を含まない正極無地部１０'と負極無地部３０'を含み、ここに外部端子と接続するための電極タブ６０、７０が接続されている。前記正極タブ６０と負極タブ７０とは互いに同一方向に構成されている。  一方、前記正極活物質コーティング部２０ａが負極と分離膜とを挟んで当接する際、巻回時における偏差と電池の充放電による位置変化を考慮して、前記正極の正極活物質コーティング部は当接する負極のコーティング領域内になければならなく(面積が小さい。)、この際、負極の活物質コーティング部４０ｂと正極の活物質コーティング領域と非コーティング領域の間の境界面は、前記負極の活物質コーティング領域と当接することになる。この場合、向い合っている分離膜５０の微細孔或いは収縮、機能が失われ、負極活物質領域４０ｂが前記正極の無地部１０'と接触する時、発熱量が非常に大きくなる。
【０００９】
一方、上述のように短絡が発生して負極と正極活物質コーティングと部が接触する場合、正極活物質コーティング部の電気抵抗が大きいため、短絡電流と発熱量が少なく、さほど問題にならないが、負極と正極無地部(正極活物質がコーティングされていない正極集電体を意味する。)とが接触すると、電気抵抗が小さいため、短絡電流と発熱量が高く、安全性を大きく低下させる危険要素として作用してしまう。
【００１０】
このような問題点を解決するために、従来は正極無地部と負極との対向部分の短絡を防止するために正極活物質コーティング境界面に絶縁層９０ａ、９０ｂ、９０ｃ、９０ｄを形成する方法を採用している。
【００１１】
なお、前記図１における電池を渦巻き状に巻回した構造を次の図２に示している。正極タブ６０の前・後面は、１枚の分離膜を挟んで負極無地部又は負極活物質コーティング部と対向しており、前記正極タブ６０の一面は短絡の可能性があるので追加の絶縁が必要である。
【００１２】
また、前記正極の活物質コーティング部の開始部又は末端部の場合、それぞれ１枚の分離膜を挟んで負極コーティング部と対向しているので、短絡の可能性を排除するために追加の絶縁が必要である。
【００１３】
一方、負極タブが位置した領域の負極タブの方向又は反対方向には、それぞれ６枚と２枚の分離膜を挟んでそれぞれ負極と接しているので、別の絶縁層が必要でない。また、負極タブと同様に、負極の巻回開始部の両面はそれぞれ４枚と６枚の分離膜を挟んで負極と接しているので、別の絶縁層が必要でない。
【００１４】
しかしながら、負極コーティング部の開始部と末端部には、それぞれ１枚の分離膜を挟んで正極無地部又は正極活物質コーティング部と対向しており、短絡の可能性があるので、追加の絶縁が必要である。
【発明の概要】
【発明が解決しようとする課題】
【００１５】
本発明では、従来活物質非コーティング部と対電極とを向い合わせることで、電極間短絡が発生する問題を解決しようとする。
【課題を解決するための手段】
【００１６】
本発明では、従来電池とは異なり、正極タブ及び負極タブが左右でなく、上下に配置されるように設計することにより、正極タブの位置する正極無地部が負極と対向することを遮断させ、正極において正極タブが設けられない方向には、正極活物質非コーティング部の正極無地部を含ませないことにより、正極無地部と負極との対向による短絡の可能性を除去し、必要に応じて正極無地部を含む場合、前記正極無地部に絶縁テープをさらに備え、正極の少なくとも一面にだけ正極活物質がコーティングされ、他面の正極活物質非コーティング部と負極活物質コーティング部とが対向する部分での短絡の可能性に対しては、正極活物質コーティング境界部に絶縁テープをさらに構成することにより、電極間短絡を防止して電気絶縁性が低下するという問題を解決することができる。
それにより、本発明の目的は電気絶縁特性に優れた電池を提供することにある。 
【発明の効果】
【００１７】
本発明のように、少なくとも一面に正極無地部を含ませないことにより、負極との対向による短絡の可能性を排除させると共に、必要に応じて正極無地部を含む場合、前記正極無地部に絶縁テープをさらに備えることにより、正極無地部を含むことによる電極短絡の可能性を回避でき、正極活物質非コーティング部と負極活物質コーティング部とが向い合う位置における正極活物質コーティング境界面に絶縁テープを備えることにより、電気絶縁性を確保でき、電池の安全性を向上させることができる。
【図面の簡単な説明】
【００１８】
【図１】従来技術に係る電池の構造を示す図である。
【図２】従来技術に係る電池を渦巻き状に巻回した構造を示す図である。
【図３】本発明の第１実施例に係る電池の構造を示す図である。
【図４】本発明の第１実施例に係る電池を渦巻き状に巻回した構造を示す図である。
【図５】本発明の第２実施例に係る電池の構造を示す図である。
【図６】本発明の第２実施例に係る電池を渦巻き状に巻回した構造を示す図である。
【図７】本発明の第３実施例に係る電池の構造を示す図である。
【図８】本発明の第３実施例に係る電池を渦巻き状に巻回した構造を示す図である。
【図９】本発明の第４実施例に係る電池の構造を示す図である。
【図１０】本発明の第４実施例に係る電池を渦巻き状に巻回した構造を示す図である。
【発明を実施するための形態】
【００１９】
前記のような目的を達成するための本発明の電池は、正極集電体の少なくとも一面に正極活物質コーティング部を含む正極と、負極集電体の少なくとも一面に負極活物質コーティング部を含む負極とが、分離膜を用いて対向するように巻回したものであり、前記正極の巻回開始部は、正極集電体の上・下部に正極活物質コーティング部を有することにより、正極無地部を含まず、正極巻回終了部にだけ正極タブを設けるための正極無地部を含み、前記正極巻回終了部に位置し、前記負極と対向する正極活物質コーティング部の境界面には絶縁テープを含むことを特徴とする。
【００２０】
以下、本発明を添付図面を参考してより詳しく説明する。
【００２１】
本発明に係る電極の形状を示す次の図３によれば、基本的に、正極集電体の少なくとも一面に正極活物質コーティング部を含む正極と、負極集電体の少なくとも一面に負極活物質コーティング部を含む負極とが、分離膜を用いて対向するように巻回した構造を有する。
【００２２】
前記正極は、正極集電体１１０の上・下部の両面に正極活物質コーティング部１２０ａ、１２０ｂを含み、前記正極集電体１１０の少なくとも一方に、望ましくは巻回終了部に位置して正極タブ１６０を設けるための正極活物質非コーティング部の正極無地部１１０'を含むが、前記正極タブ１６０を含まない正極集電体１１０の他方には、正極集電体１１０の少なくともいずれか一面は正極活物質が塗布されていない正極無地部を含まない。
【００２３】
即ち、本発明では、負極と正極無地部とが接触することにより、短絡電流と発熱量が高くて安全性を大きく低下させる危険要素を正極無地部に設けないことから、予め防止できるという効果を奏する。このような正極の構造は正極活物質コーティング部が含まれない正極無地部を１回切断した後、正極活物質がコーティングされたコーティング部を切断する２-ｓｔｅｐ ｃｕｔｔｉｎｇを用いたり、或いはブロックカッティング(ｂｌｏｃｋ ｃｕｔｔｉｎｇ)などによって実現可能である。
【００２４】
本発明の負極は、正極集電体１３０の少なくとも一面に負極活物質コーティング部１４０ａ、１４０ｂを含み、負極集電体１３０の巻回開始部又は終了部の少なくとも一方には、前記負極活物質コーティング部を含まない負極無地部１３０'を含み、ここに外部端子と接続するための電極タブ１７０を接続する。
【００２５】
一方、本発明では、従来技術とは異なり、前記正極タブ１６０と負極タブ１７０とを互いに同一方向でない、上下に構成する。これは従来正極が負極と同一方向に位置することから、１枚の分離膜を経て負極との対向による電気的短絡を防止するためである。本発明のように正極タブ１６０と負極タブ１７０とを上下に位置させる場合、前記正極タブ１６０は巻回部の末端に位置することになり、対向面が正極であるので、電気的短絡の可能性を排除できる。
【００２６】
また、分離膜１５０は、負極の終了部よりも長く延びて位置するように設計し、前記分離膜が熱によって収縮しても負極電極を遮断させるようにし、望ましくは前記負極終了部から少なくとも５ｍｍ以上延びて構成することが良い。
【００２７】
本発明のような構造で設計する場合、次の図３の構造から確認できるように、前記負極集電体１３０の上下部の負極活物質コーティング部１４０ａ、１４０ｂは、分離膜１５０ａ、１５０ｂを挟んで正極活物質コーティング部と接するが、前記負極活物質コーティング部と接する正極は、その正極集電体の両面が正極活物質コーティング部１２０ａ、１２０ｂに接することにより、正極活物質非コーティング部の正極無地部を含まないので、負極との短絡を予め防止することができる。
【００２８】
また、巻回終了部である負極集電体１３０の上部の負極活物質コーティング部１４０ａは、分離膜１５０ａを挟んで正極タブ１６０が設けられた方の正極集電体の下部の正極活物質コーティング境界面に接するが、この際、正極活物質コーティング境界面に絶縁テープ１９０ｂをさらに備えて正極活物質がコーティングされていない正極無地部１１０'と前記負極活物質コーティング部１４０ａとの短絡を防止することができる。
【００２９】
また、巻回終了部である負極集電体１３０の下部の負極活物質コーティング部１４０ｂは、分離膜１５０ｂを挟んで正極タブ１６０が設けられた方の正極集電体の上部の正極活物質コーティング境界面に接するが、本発明では、前記正極活物質コーティング境界面に絶縁テープ１９０ａをさらに備えて正極活物質がコーティングされていない非コーティング部の正極集電体と接触しないようにする。
【００３０】
本発明に係る望ましい実施例を前記のような構造を有する負極、正極、および分離膜を巻芯部材に巻回した添付図面を参照してより詳しく説明するが、本発明はこれらの実施例に限定されるものではない。
【００３１】
次の図３及び図４は、本発明の一実施例に係る電極の断面図およびこれを渦巻き状に巻回した構造を示すものである。
【００３２】
渦巻き状に巻回した構造を示す図４を参照すると、本発明の正極は、巻回開始部に正極無地部を含まず、正極集電体の上・下部の正極活物質コーティング部は、巻回時、それぞれ１枚の分離膜を挟んで負極活物質コーティング部と接している。前記正極の巻回開始部は、正極活物質コーティング部が含まれない正極無地部を１回切断し、正極活物質をコーティングさせた後、前記正極活物質コーティング部を切断する２-ｓｔｅｐ ｃｕｔｔｉｎｇを用いたり、或いはブロックカッティングなどによって実現可能である。
【００３３】
また、巻回開始部の負極無地部１３０'のカッティング面の両方には数枚の分離膜が位置しており、カッティング面のバリ(ｂｕｒｒ)による安全性を向上させることができ、巻回終了部の負極無地部のカッティング面の両面は、それぞれ１枚の分離膜を挟んで正極と対向しているものの、正極活物質コーティング境界面に絶縁テープ１９０ａ、１９０ｂが位置しており、バリによる安全性を向上させることができる。
【００３４】
前記図３及び図４に係る本発明の第１実施例では、正極終了部の正極集電体の上部および下部の正極活物質コーティング部境界面１９０ａ、１９０ｂに絶縁テープを貼付することにより、正極活物質の非コーティング部と負極活物質コーティング部とが対向することによる電気的短絡を防止することができる。
【００３５】
このような正極活物質コーティング部の境界面に貼付される絶縁テープ１９０ａ、１９０ｂは、前記電極の巻回工程又は広幅の電極製造工程で貼付することが望ましい。
【００３６】
また、正極タブ１６０と負極タブ１７０は、互いに同一方向でない、負極タブの反対面に正極タブ１６０が位置するように設計し、前記正極タブが位置した反対面には正極無地部を含ませないことにより、負極との電気的短絡を予め防止させることができる。
【００３７】
また、分離膜１５０は、負極の終了部から最小５ｍｍ以上延びて構成することにより、分離膜が収縮しても負極活物質の露出部を遮断させるようにする。 
【００３８】
次の図５及び図６は、本発明に係る望ましい第２実施例を示すものであり、本発明の第２実施例では、前記第１実施例の構成において正極タブが設けられた正極無地部末端の上下両面に正極活物質コーティング部２２０ａ'、２２０ｂ'をさらに含む。
【００３９】
前記第１実施例と同様に、正極は巻回開始部に正極無地部を含まなく、次の図６に示すように、正極巻回開始部の正極集電体の上・下部の正極活物質コーティング部は、巻回時、それぞれ１枚の分離膜を挟んで負極活物質コーティング部と接している。前記正極の先端部は１-ｓｔｅｐ ｃｕｔｔｉｎｇで実現可能である。
【００４０】
本実施例では、正極タブ２６０が設けられた正極無地部の末端の上部と下部にそれぞれ位置した正極活物質コーティング部２２０ａ'、２２０ｂ'は別の絶縁テープを含まない。
【００４１】
また、正極タブ２６０と負極タブ２７０とは互いに同一方向でない、負極タブの反対面に正極タブ２６０が位置するように設計し、前記正極タブが位置した反対面には正極無地部を含ませないことにより、負極との電気的短絡を予め防止させることができる。
【００４２】
また、分離膜２５０は、負極の終了部よりも長く形成することが望ましく、前記負極終了部から最小５ｍｍ以上延びて構成し、分離膜が収縮しても負極活物質の露出部を遮断させるようにする。
【００４３】
また、巻回開始部の負極無地部２３０'のカッティング面の両方には、数枚の分離膜が位置しており、カッティング面のバリによる安全性を向上させることができ、巻回終了部の負極無地部のカッティング面の両面は、それぞれ１枚の分離膜を挟んで正極と対向しているものの、正極活物質コーティング境界面に絶縁テープ２９０ａ、２９０ｂが位置しており、バリによる安全性を向上させることができる。
【００４４】
本発明の第２実施例に係る電池の絶縁テープは、前記第１実施例と同様に、正極終了部の正極集電体の上部及び下部の正極活物質コーティング部境界面２９０ａ、２９０ｂに貼付させることにより、正極活物質の非コーティング部と負極活物質コーティング部との対向による電気的短絡を防止できる。
【００４５】
このような正極活物質コーティング部の境界面に貼付される絶縁テープ２９０ａ、２９０ｂは、前記電極の巻回工程又は広幅の電極製造工程で貼付することが望ましい。
【００４６】
一方、次の図７及び図８に係る本発明の第３実施例では、前記第２実施例の構成において絶縁テープをさらに含んで構成される。具体的には、正極先端部の正極集電体の上部及び下部に正極活物質コーティング部境界面３９０ｃ、３９０ｄ、正極活物質終了部の正極集電体の上部及び下部の正極活物質コーティング部境界面３９０ａ、３９０ｂ、および正極終了部の正極無地部の末端に形成された追加の正極活物質コーティング部３２０ａ'、３２０ｂ'の上・下部の境界面３９０ｅ、３９０ｆに全て絶縁テープを貼付させることにより、正極活物質の非コーティング部と負極活物質コーティング部との対向による電気的短絡を防止できる。
【００４７】
また、巻回開始部の負極無地部３３０'のカッティング面の両方には、数枚の分離膜が位置しており、カッティング面のバリによる安全性を向上させることができ、巻回終了部の負極無地部のカッティング面の両面は、それぞれ１枚の分離膜を挟んで正極と対向しているものの、正極活物質コーティング境界面に絶縁テープ３９０ａ、３９０ｂが位置しており、バリによる安全性を向上させることができる。
【００４８】
また、正極タブ３６０と負極タブ３７０とは互いに同一方向でない、負極タブの反対面に正極タブ３６０が位置するように設計し、前記正極タブが位置した反対面には正極無地部を含ませないことにより、負極との電気的短絡を予め防止させることができる。
【００４９】
また、分離膜３５０は、負極の終了部よりも長く形成することが望ましく、前記負極終了部から最小５ｍｍ以上延びて構成し、分離膜が収縮しても負極活物質の露出部を遮断させるようにする。
【００５０】
次の図９及び図１０は、本発明に係る望ましい第４実施例を示すものであり、ここでは、選択的に正極集電体４１０の両末端に正極活物質コーティング部を含まない正極無地部４１０'を含む。したがって、正極の巻回開始部から一定間隔で離隔された位置で正極集電体の上・下部に正極活物質コーティング部が始まり、前記正極の巻回開始部は、次の図１０に示すように、巻回時、１枚の分離膜を挟んで負極活物質コーティング部と接することになる。したがって、本発明では、このような正極無地部と負極活物質コーティング部との対向による短絡を防止するために、前記正極の先端部から正極活物質コーティング境界面の上・下部に絶縁テープ４９０ｃ、４９０ｄをさらに備えることにより、前記のような短絡を防止することができるようにする。
【００５１】
前記正極の巻回開始部は、正極活物質コーティング部が含まれていない正極無地部の先端部を１-ｓｔｅｐ ｃｕｔｔｉｎｇで実現可能である。
【００５２】
また、正極活物質の終了部の正極集電体の上部及び下部の正極活物質コーティング部境界面４９０ａ、４９０ｂ、および正極タブが位置した正極集電体末端の正極無地部の上・下部４９０ｅ、４９０ｆに絶縁テープを貼付させることにより、正極活物質の非コーティング部と負極活物質コーティング部との対向による電気的短絡を防止できる。
【００５３】
また、巻回開始部の負極無地部４３０'のカッティング面の両側には、数枚の分離膜が位置しており、カッティング面のバリによる安全性を向上させることができ、巻回終了部の負極無地部のカッティング面の両面は、それぞれ１枚の分離膜を挟んで正極と対向しているものの、正極活物質コーティング境界面に絶縁テープ４９０ａ、４９０ｂが位置しており、バリによる安全性を向上させることができる。
【００５４】
このような正極活物質コーティング部の境界面に貼付される絶縁テープ４９０ａ、４９０ｂ、４９０ｃ、４９０ｄ、４９０ｅ、４９０ｆは、前記電極の巻回工程又は広幅の電極製造工程で貼付することが望ましい。
【００５５】
また、正極タブ４６０と負極タブ４７０とは互いに同一方向でない、上下に構成されている。また、負極の終了部は、負極末端部よりも長く延びて位置させるが、これは前記分離膜４５０ａ、４５０ｂの熱的収縮を考慮して決定されることである。
【００５６】
本発明に係る電池の構造を有する場合、前記負極の巻回開始部である先端部の負極無地部のカッティング面は、複数の分離膜によって絶縁保護され、負極の巻回終了部である負極末端部の負極無地部のカッティング面は、正極活物質コーティング境界面の絶縁テープによって保護され、絶縁特性に優れた二次電池を提供することができる。
【００５７】
本発明の各実施例で用いられる絶縁テープは、絶縁特性に優れたものであればいずれも限定されず、望ましくは２００℃まで熱収縮しない材料が良い。また、熱を受けると少しでも伸縮する材料を用いると、電極間に位置した分離膜に問題が生じてもそれを解決できるのでより望ましい。
【００５８】
前記絶縁テープとしては、ポリイミドテープ、アセテートテープ、ｇｌａｓｓ ｃｌｏｔｈテープ、ポリエステルテープ、硫化ポリフェニレン(Ｐｏｌｙｐｈｅｎｙｌｅｎｅｓｕｌｆｉｄｅ、ＰＰＳ)およびポリプロピレン(ｐｏｌｙｐｒｏｐｙｌｅｎｅ)からなる群より選択される１種以上のものが望ましく、より望ましくはポリエチレンテレフタレートフィルムである。
【００５９】
また、本発明の電池に構成される前記絶縁テープの厚さは１０〜１００μｍであることが望ましい。
【００６０】
一方、本発明に係る電池を構成する他の要素、特に２次電池の構成要素について説明する。
【００６１】
本発明の正極集電体は、ステンレス鋼、ニッケル、アルミニウム、チタン、又はこれらの合金、アルミニウム、又はステンレス鋼の表面にカーボン、ニッケル、チタン、銀を表面処理させたもの等を用いることができ、これらの中でアルミニウム又はアルミニウム合金が望ましい。
【００６２】
前記本発明の正極活物質の具体的な例を挙げると、リチウムコバルト酸化物(ＬｉＣｏＯ２)、リチウムニッケル酸化物(ＬｉＮｉＯ２)等の層状化合物や、１又はそれ以上の移転金属に置換された化合物と、一般式Ｌｉ１＋ｘＭｎ２−ｘＯ４(ここで、ｘは０〜０.３３である。)、ＬｉＭｎＯ３、ＬｉＭｎ２Ｏ３、ＬｉＭｎＯ２等のリチウムマンガン酸化物と、リチウム銅酸化物(Ｌｉ２ＣｕＯ２)と、ＬｉＶ３Ｏ８、ＬＩＦｅ３Ｏ４、Ｖ２Ｏ５、Ｃｕ２Ｖ２Ｏ７等のバナジウム酸化物と、一般式ＬｉＮｉ１−ｘＭｘＯ２(ここで、ＭはＣｏ、Ｍｎ、Ａｌ、Ｃｕ、Ｆｅ、Ｍｇ、ＢまたはＧａであり、ｘは０.０１〜０.３である。)で表されるＮｉサイト型(Ｎｉ-ｓｉｔｅ ｔｙｐｅ)リチウムニッケル酸化物と、一般式ＬｉＭｎ２−ｘＭｘＯ２(ここで、ＭはＣｏ，Ｎｉ、Ｆｅ、Ｃｒ、ＺｎまたはＴａであり、ｘは０.０１〜０.１である。)又はＬｉ２Ｍｎ３ＭＯ８(ここで、ＭはＦｅ、Ｃｏ、Ｎｉ、ＣｕまたはＺｎである。)で表されるリチウムマンガン複合酸化物と、一般式のＬｉの一部がアルカリ土類金属イオンに置換されたＬｉＭｎ２Ｏ４と、ジスルフィド化合物と、Ｆｅ２(ＭｏＯ４)３等が挙げられるが、これらに限定されるのではない。 望ましくは、前記正極活物質は、リチウムコバルト酸化物、リチウムマンガン酸化物、リチウムニッケル酸化物、リチウムマンガン-コバルト-ニッケル酸化物、又は、これらの２以上の複合物である。
【００６３】
負極集電体としては、ステンレス鋼、ニッケル、銅、チタン、又はこれらの合金、銅又はステンレス鋼の表面に、カーボン、ニッケル、チタン、銀を表面処理させたもの等を用いることができ、これらの中で銅又は銅合金が望ましい。
【００６４】
本発明の負極は、負極活物質として、例えば、天然黒鉛、人造黒鉛、膨張黒鉛、炭素繊維、難黒鉛化性炭素、カーボンブラック、カーボンナノチューブ、フラーレン、活性炭などの炭素および黒鉛材料と、リチウムと合金が可能なＡｌ、Ｓｉ、Ｓｎ、Ａｇ、Ｂｉ、Ｍｇ、Ｚｎ、Ｉｎ、Ｇｅ、Ｐｂ、Ｐｄ、Ｐｔ、Ｔｉなどの金属及びこのような元素を含む化合物と、金属およびその化合物と炭素および黒鉛材料の複合物と、リチウム含有窒化物などが挙げられるが、これらに限定されるのではなく、望ましくは、結晶質炭素、非晶質炭素、シリコン系活物質、錫系活物質、及びシリコン-炭素系活物質からなる群より選択され、単独若しくは２以上の組み合わせであり、その他にも負極に含まれる通常のバインダー、導電材、およびその他の添加剤を含むことができ、これらの具体例や含有量などは通常添加されるレベルであれば充分である。
【００６５】
前記バインダーは、活物質と導電材の結合と集電体に対する結合に助力する成分であって、通常、電極合剤の全重量に対し１〜５０重量％が添加される。このようなバインダーの例としては、ポリビニリデンフルオライド(ＰＶＤＦ)、ポリビニルアルコール、カルボキシメチルセルロース(ＣＭＣ)、澱粉、ヒドロキシプロピルセルロース、再生セルロース、ポリビニルピロリドン、テトラフルオロエチレン、ポリエチレン、ポリプロピレン、エチレン-プロピレン-ジエンポリマー(ＥＰＤＭ)、スルホン化-ＥＰＤＭ、スチレン-ブタジエンゴム、フッ素ゴム、これらの様々な共重合体などが挙げられる。
【００６６】
前記導電材は、電極活物質の導電性をより向上させるための成分であって、電極合剤の全重量に対し１〜２０重量％が添加される。このような導電材は、当該電池に化学的変化を誘発させず、導電性を有したものであれば、特に制限されなく、例えば、天然黒鉛や人造黒鉛などの黒鉛と、カーボンブラック、アセチレンブラック、ケッチェンブラック、チャンネルブラック、ファーネスブラック、ランプブラック、サーマルブラックなどのカーボンブラックと、炭素繊維や金属繊維などの導電性繊維と、フッ化カーボン、アルミニウム、ニッケル粉末などの金属粉末と、酸化亜鉛、チタン酸カリウムなどの導電性ウィスカー(ｃｏｎｄｕｃｔｉｖｅ ｗｈｉｓｋｅｒ)と、酸化チタンなどの導電性金属酸化物と、ポリフェニレン誘導体などの導電性素材などを用いることができる。
【００６７】
前記充填剤は、負極の膨張を抑制する成分であって、選択的に使用され、当該電池に化学的変化を誘発させず、繊維状材料であれば特に制限されなく、例えば、ポリエチレン、ポリプロピレンなどのオレフィン系重合体と、ガラス繊維、炭素繊維などの繊維状物質を用いることができる。
【００６８】
前記分離膜は、正極と負極との間に介され、高いイオン透過度と機械的強度を有する絶縁性薄膜が用いられる。一般に、分離膜の気孔の直径は０.０１〜１０μｍであり、厚さは５〜３００μｍである。このような分離膜としては、例えば、耐化学性及び疏水性のポリプロピレンなどのオレフィン系ポリマーと、ガラス繊維又はポリエチレン等で作られたシートや不織布と、クラフト紙などが用いられる。現在、市販の代表的な例としては、セルガード系(ＣｅｌｇａｒｄＴＭ ２４００、２３００(Ｈｏｅｃｈｅｓｔ Ｃｅｌａｎｅｓｅ Ｃｏｒｐ. 製)、ポリプロピレン分離膜(Ｕｂｅ Ｉｎｄｕｓｔｒｉｅｓ Ｌｔｄ. 製、又はＰａｌｌ ＲＡＩ社製)、ポリエチレン系(Ｔｏｎｅｎ又はＥｎｔｅｋ)等がある。
【００６９】
場合によっては、電池の安全性を高めるために前記分離膜上にゲルポリマー電解質がコーティングされることもある。このようなゲルポリマーの代表的な例としては、ポリエチレンオキシド、ポリフッ化ビニリデン、ポリアクリロニトリルなどが挙げられる。電解質としてポリマーなどの固体電解質が用いられる場合は固体電解質が分離膜を兼ねることもできる。
【００７０】
前記正極と負極にはそれぞれ正極タブと負極タブとがレーザー溶接、超音波溶接、抵抗溶接のような溶接や導電性接着剤により通電可能なように取り付けられている。前記電極タブには絶縁性素材で作られた保護テープが貼付されて電極間の短絡を防止する。
【００７１】
本発明は、上記のような構成を有する電池を角形電池缶に収容し、ここに非水系電解質を添加してなる角形電池を提供する。
【００７２】
前記非水系電解質は、リチウム塩含有非水系電解質であって、非水電解質とリチウム塩からなっている。非水電解質としては非水電解液、固体電解質、無機固体電解質などが用いられる。 
【００７３】
前記非水電解液としては、例えば、Ｎ-メチル-２-ピロリジノン、プロピレンカーボネート、エチレンカーボネート、ブチレンカーボネート、ジメチルカーボネート、ジエチルカーボネート、エチルメチルカーボネート、ガンマ-ブチロラクトン、１,２-ジメトキシエタン、１,２-ジエトキシエタン、テトラヒドロキシフラン(ｆｒａｎｃ)、２-メチルテトラヒドロフラン、ジメチルスルホキシド、１,３-ジオキソロン、４-メチル-１,３-ジオキセン、ジエチルエーテル、フォルムアミド、ジメチルフォルムアミド、ジオキソロン、アセトニトリル、ニトロメタン、ギ酸メチル、硝酸メチル、燐酸トリエステル、トリメトキシメタン、ジオキソロン誘導体、スルホラン、メチルスルホラン、１,３-ジメチル-２-イミダゾリジノン、プロピレンカーボネート誘導体、テトラヒドロフラン誘導体、エーテル、プロピオン酸メチル、プロピオン酸エチルなどの非プロトン性の有機溶媒を用いることができる。
【００７４】
前記有機固体電解質としては、例えば、ポリエチレン誘導体、ポリエチレンオキシド誘導体、ポリプロピレンオキシド誘導体、燐酸エステルポリマー、ポリアジテイションリシン(ａｇｉｔａｔｉｏｎ ｌｙｓｉｎｅ)、ポリエステルスルフィド、ポリビニルアルコール、ポリフッ化ビニリデン、イオン性解離基を含む重合体などを用いることができる。
【００７５】
前記無機固体電解質としては、例えば、Ｌｉ３Ｎ、ＬｉＩ、Ｌｉ５ＮＩ２、Ｌｉ３Ｎ-ＬｉＩ-ＬｉＯＨ、ＬｉＳｉＯ４、ＬｉＳｉＯ４-ＬｉＩ-ＬｉＯＨ、Ｌｉ２ＳｉＳ３、Ｌｉ４ＳｉＯ４、Ｌｉ４ＳｉＯ４-ＬｉＩ-ＬｉＯＨ、Ｌｉ３ＰＯ４-Ｌｉ２Ｓ-ＳｉＳ２等のＬｉの窒化物、ハロゲン化物、硫酸塩などを用いることができる。
【００７６】
前記リチウム塩は、前記非水系電解質に溶解しやすい物質として、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、ＬｉＳＣＮ、ＬｉＣ(ＣＦ３ＳＯ２)３、(ＣＦ３ＳＯ２)２ＮＬｉ、クロロボランリチウム、低級脂肪族カルボン酸リチウム、４フェニルホウ酸リチウム、イミドなどを用いることができる。
【００７７】
また、非水系電解質には、充放電特性、難燃性などの改善を目的として、例えば、ピリジン、亜リン酸トリエチル、トリエタノールアミン、環状エーテル、エチレン ジアミン、ｎ-グリム(ｇｌｙｍｅ)、ヘキサ燐酸トリアミド、ニトロベンゼン誘導体、硫黄、キノンイミン染料、Ｎ-置換オキサゾリジノン、Ｎ,Ｎ-置換イミダゾリジン、エチレングリコールジアルキルエーテル、アンモニウム塩、ピロール、２-メトキシエタノール、三塩化アルミニウムなどを添加することもできる。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもできる。
【００７８】
本発明に係る角形リチウム電池の製造過程を簡単に述べると次の通りである。正極と、厚さ２０μｍのポリエチレン剤の微細多孔質フィルムからなるセパレータによって負極を巻回し、断面がほぼ楕円形の電極群を構成する。前記電極群をアルミニウム剤の角形の電池缶に収容し、前記電池缶は底部と側壁を有する。電池缶の上部は開口されており、その形状はほぼ四角形状である。その後、電池缶と正極リード、または、負極リードの短絡を防止するための絶縁テープを備え、追加の短絡が予想される各部位に絶縁テープをさらに備える。
【００７９】
本発明では正極活物質非コーティング部と負極活物質コーティング部とが対向する部位に絶縁テープを貼付する場合、上記のように巻回工程で絶縁テープ貼付装置により形成させ、又は、電極コーティング工程で電極の幅に該当する分前記絶縁テープを貼付する。その後、絶縁ガスケットで取り囲まれた負極端子を中央に有した球状の封止板を、電池缶の開口に配置させ、負極リードは負極端子と接続させる。正極リードは封止板の下面と接続させる。開口の端部と封止板とをレーザで溶接し、電池缶の開口を封口する。その後、封止板の注液孔から非水電解質を電池缶に注入し、最後に、注液孔を封止栓で溶接によって閉塞して角形リチウム２次電池を製造する。
【００８０】
一方、各実施例１〜４により製造された電池と、従来技術による図１の電池に対する安全性評価をｈｏｔ ｂｏｘ ｔｅｓｔにより行い、その結果を次の表１に示す。
- ｈｏｔ ｂｏｘ ｔｅｓｔ条件:１５０℃で１時間維持させた後、その結果を示す。
【表１】
2014179334.tif 000003
【００８１】
前記表１の結果のように、本発明により製造された角形電池は、危険な領域で内部短絡が発生することが防止され、安全性が大きく向上したことを確認することができた。
［項目１］
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の上・下部に正極活物質コーティング部を有することにより、正極無地部を含まず、正極巻回終了部にだけ正極タブを設けるための正極無地部を含み、
前記正極巻回終了部に位置し、前記負極と対向する正極活物質コーティング部の境界面には絶縁テープを含む電池。
［項目２］
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の上・下部に正極活物質コーティング部を有することにより、正極無地部を含まず、正極巻回終了部にだけ正極タブを設けるための正極無地部を含み、
前記正極無地部の末端部の少なくとも一面に正極活物質コーティング部をさらに含み、
前記正極巻回終了部に位置し、前記負極と対向する正極活物質コーティング部の境界面には絶縁テープを含む電池。
［項目３］
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部および巻回終了部には正極無地部を含み、前記巻回開始部及び巻回終了部の少なくとも一方の正極無地部には電極タブが設けられ、ここで前記電極タブが設けられる方の正極無地部末端には絶縁テープを含み、
前記正極の巻回終了部に位置し、前記負極と対向する正極活物質コーティング部の境界面には絶縁テープを含む電池。
［項目４］
前記正極は、前記巻回開始部では前記正極集電体の上・下部の前記正極活物質コーティング部の開始点が同一であり、前記巻回終了部では前記正極集電体に塗布された上・下部の正極活物質コーティング部の長さが異なり、少なくとも一面の正極活物質コーティング部の他面は正極活物質コーティング部を有さない正極活物質非コーティング部から構成されることを特徴とする項目１又は２に記載の電池。
［項目５］
前記絶縁テープは、前記巻回開始部を基準として前記正極集電体の上・下部の両末端の正極活物質コーティング境界面に構成されることを特徴とする項目１又は２に記載の電池。
［項目６］
前記絶縁テープは、前記巻回開始部を基準として前記正極集電体の上部の両末端の正極活物質コーティング境界面と、前記正極集電体の下部の両末端の正極活物質コーティング境界面、および前記正極無地部の末端の正極活物質コーティング境界面に構成されることを特徴とする項目２に記載の電池。
［項目７］
前記絶縁テープは、前記巻回開始部を基準として前記正極集電体の上部の末端の正極活物質コーティング境界面、前記正極集電体の下部の末端の正極活物質コーティング境界面、および前記電極タブが設けられた方の正極集電体の末端に構成されることを特徴とする項目３に記載の電池。
［項目８］
前記絶縁テープは、巻回工程又は電極コーティング工程で構成されることを特徴とする項目１〜３のいずれか１項に記載の電池。
［項目９］
前記電池の正極タブと負極タブとは上下方向であることを特徴とする項目１〜３のいずれか１項に記載の電池。
［項目１０］
前記負極は、前記巻回開始部又は前記巻回終了部の少なくともいずれか一方に負極タブを接続するための負極活物質コーティング部を含まない負極無地部を有し、前記負極タブが接続された負極集電体の反対面には、前記負極タブに対応する位置に少なくとも２層以上の絶縁層を有することを特徴とする項目１〜３のいずれか１項に記載の電池。
［項目１１］
前記負極の巻回開始部である先端部の負極無地部のカッティング面は、複数の分離膜によって絶縁保護されることを特徴とする項目１〜３のいずれか１項に記載の電池。
［項目１２］
前記分離膜は負極の終了部よりも延びて構成されることを特徴とする項目１〜３のいずれか１項に記載の電池。
［項目１３］
前記分離膜は、負極の終了部から少なくとも５ｍｍ以上延びることを特徴とする項目１２に記載の電池。
［項目１４］
前記絶縁テープは、ポリイミドテープ、アセテートテープ、ｇｌａｓｓ ｃｌｏｔｈテープ、ポリエステルテープ、硫化ポリフェニレン(Ｐｏｌｙｐｈｅｎｙｌｅｎｅｓｕｌｆｉｄｅ、ＰＰＳ)およびポリプロピレン(ｐｏｌｙｐｒｏｐｙｌｅｎｅ)からなる群より選択される１種以上であることを特徴とする項目１〜３のいずれか１項に記載の電池。
［項目１５］
前記絶縁テープは、ポリエチレンテレフタレートであることを特徴とする項目１４に記載の電池。
［項目１６］
前記絶縁テープの厚さは、１０〜１００μｍであることを特徴とする項目１〜３のいずれか１項に記載の電池。
［項目１７］
項目１から３の何れか１項に記載の電池を角形電池缶に収容し、ここに非水電解質を含む角形電池。
【符号の説明】
【００８２】
１０、１１０、２１０、３１０、４１０  正極集電体
２０ａ、２０ｂ、１２０ａ、１２０ｂ、２２０ａ、２２０ｂ、３２０ａ、３２０ｂ、２２０ａ'、３２０ａ'、４２０ａ、４２０ｂ  正極活物質コーティング部
３０、１３０、２３０、３３０、４３０  負極集電体
４０ａ、４０ｂ、１４０ａ、１４０ｂ、２４０ａ、２４０ｂ、３４０ａ、３４０ｂ、４４０ａ、４４０ｂ  負極活物質コーティング部
５０ａ、５０ｂ、１５０ａ、１５０ｂ、２５０ａ、２５０ｂ、３５０ａ、３５０ｂ、４５０ａ、４５０ｂ  分離膜
１０'、１１０'、２１０'、３１０'、４１０'  正極無地部
３０'、１３０'、２３０'、３３０'、４３０'  負極無地部
６０、１６０、２６０、３６０、４６０  正極タブ
７０、１７０、２７０、３７０、４７０  負極タブ
８０ａ  保護テープ
９０ａ、９０ｂ、９０ｃ、９０ｄ、１９０ａ、１９０ｂ、１９０ｃ、２９０ａ、２９０ｂ、２９０ｃ、２９０ｄ、２９０ｅ、３９０ａ、３９０ｂ、３９０ｃ、４９０ａ、４９０ｂ、４９０ｃ、４９０ｄ、４９０ｅ、４９０ｆ  絶縁テープ
１１１、２２２、３３３、４４４  仕上げテープ
【図１】
2014179334.tif 000004
【図２】
2014179334.tif 000005
【図３】
2014179334.tif 000006
【図４】
2014179334.tif 000007
【図５】
2014179334.tif 000008
【図６】
2014179334.tif 000009
【図７】
2014179334.tif 000010
【図８】
2014179334.tif 000011
【図９】
2014179334.tif 000012
【図１０】
2014179334.tif 000013
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の一面及び他面に正極活物質コーティング部を有することにより、正極無地部を含まず、正極巻回終了部にだけ正極タブを設けるための正極無地部を含み、
前記正極巻回終了部に位置し、前記負極と対向する正極活物質コーティング部の境界面には絶縁テープを含み、
前記正極は、前記巻回開始部では前記正極集電体の前記一面及び前記他面の前記正極活物質コーティング部の開始点が同一であり、前記巻回終了部では前記正極集電体に塗布された前記一面及び前記他面の正極活物質コーティング部の長さが異なり、少なくとも一面の正極活物質コーティング部の他面は正極活物質コーティング部を有さない正極活物質無地部から構成され、
前記負極の巻回開始部に負極タブが設けられ、前記負極タブと前記正極タブとが互いに反対方向に配置される、
電池。
【請求項２】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の一面及び他面に正極活物質コーティング部を有することにより、正極無地部を含まず、正極巻回終了部にだけ正極タブを設けるための正極無地部を含み、
前記正極無地部の末端部の少なくとも一面に正極活物質コーティング部をさらに含み、
前記正極巻回終了部に位置し、前記負極と対向する正極活物質コーティング部の境界面には絶縁テープを含み、
前記正極は、前記巻回開始部では前記正極集電体の前記一面及び前記他面の前記正極活物質コーティング部の開始点が同一であり、前記巻回終了部では前記正極集電体に塗布された前記一面及び前記他面の正極活物質コーティング部の長さが異なり、少なくとも一面の正極活物質コーティング部の他面は正極活物質コーティング部を有さない正極活物質無地部から構成され、
前記負極の巻回開始部に負極タブが設けられ、前記負極タブと前記正極タブとが互いに反対方向に配置される、
電池。
【請求項３】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部は、正極集電体の一面及び他面に正極活物質コーティング部を有することにより、正極無地部を含まず、正極巻回終了部にだけ正極タブを設けるための正極無地部を含み、
前記正極巻回終了部に位置し、前記負極と対向する正極活物質コーティング部の境界面には絶縁テープを含み、
前記正極は、前記巻回開始部では前記正極集電体の前記一面及び前記他面の前記正極活物質コーティング部の開始点が同一であり、前記巻回終了部では前記正極集電体に塗布された前記一面及び前記他面の正極活物質コーティング部の長さが異なり、少なくとも一面の正極活物質コーティング部の他面は正極活物質コーティング部を有さない正極活物質無地部から構成され、
前記電池は渦巻き型に巻回した構造を有し、前記渦巻き型に巻回した構造の少なくとも一部に扁平部を有し、かつ、前記絶縁テープの一端部及び前記正極活物質のコーティング部の境界面は前記扁平部に位置し、
前記負極の巻回開始部に負極タブが設けられ、前記負極タブと前記正極タブとが互いに反対方向に配置される、
電池。
【請求項４】
前記正極無地部の末端部の少なくとも一面に正極活物質コーティング部をさらに含む、
請求項３に記載の電池。
【請求項５】
正極集電体の少なくとも一面に正極活物質コーティング部を含む正極と、負極集電体の少なくとも一面に負極活物質コーティング部を含む負極とが、分離膜を用いて対向するように巻回した電池であり、
前記正極の巻回開始部および巻回終了部には正極無地部を含み、前記巻回開始部及び巻回終了部の少なくとも一方の正極無地部には電極タブが設けられ、ここで前記電極タブが設けられる方の正極無地部末端には絶縁テープを含み、
前記正極の巻回終了部に位置し、前記負極と対向する正極活物質コーティング部の境界面には絶縁テープを含み、
前記負極の巻回開始部に負極タブが設けられ、前記負極タブと前記電極タブとが互いに反対方向に配置される、
電池。
【請求項６】
前記絶縁テープは、前記巻回開始部を基準として前記正極集電体の一面及び他面の両末端の正極活物質コーティング境界面に構成されることを特徴とする、
請求項１〜４のいずれか１項に記載の電池。
【請求項７】
前記絶縁テープは、前記巻回開始部を基準として前記正極集電体の上部の両末端の正極活物質コーティング境界面と、前記正極集電体の下部の両末端の正極活物質コーティング境界面、および前記正極無地部の末端の正極活物質コーティング境界面に構成されることを特徴とする、
請求項２又は４に記載の電池。
【請求項８】
前記絶縁テープは、前記巻回開始部を基準として前記正極集電体の上部の末端の正極活物質コーティング境界面、前記正極集電体の下部の末端の正極活物質コーティング境界面、および前記電極タブが設けられた方の正極集電体の末端に構成されることを特徴とする、
請求項５に記載の電池。
【請求項９】
前記絶縁テープは、巻回工程で形成されるか、又は電極コーティング工程で貼付されることを特徴とする、
請求項１〜８のいずれか１項に記載の電池。
【請求項１０】
前記電池の正極タブと負極タブとは上下方向であることを特徴とする、
請求項１〜９のいずれか１項に記載の電池。
【請求項１１】
前記負極は、前記巻回開始部および前記巻回終了部の少なくとも一方に負極タブを接続するための負極活物質コーティング部を含まない負極無地部を有し、前記負極タブが接続された負極集電体の反対面には、前記負極タブに対応する位置に少なくとも２層以上の絶縁層を有することを特徴とする、
請求項１〜１０のいずれか１項に記載の電池。
【請求項１２】
前記負極の巻回開始部である先端部の負極無地部のカッティング面は、複数の分離膜によって絶縁保護されることを特徴とする、
請求項１〜１１のいずれか１項に記載の電池。
【請求項１３】
前記分離膜は負極の終了部よりも延びて構成されることを特徴とする、
請求項１〜１２のいずれか１項に記載の電池。
【請求項１４】
前記分離膜は、負極の終了部から少なくとも５ｍｍ以上延びることを特徴とする、
請求項１３に記載の電池。
【請求項１５】
前記絶縁テープは、ポリイミドテープ、アセテートテープ、ｇｌａｓｓ ｃｌｏｔｈテープ、ポリエステルテープ、硫化ポリフェニレン(Ｐｏｌｙｐｈｅｎｙｌｅｎｅｓｕｌｆｉｄｅ、ＰＰＳ)およびポリプロピレン(ｐｏｌｙｐｒｏｐｙｌｅｎｅ)からなる群より選択される１種以上であることを特徴とする、
請求項１〜１４のいずれか１項に記載の電池。
【請求項１６】
前記絶縁テープは、ポリエチレンテレフタレートであることを特徴とする、
請求項１５に記載の電池。
【請求項１７】
前記絶縁テープの厚さは、１０〜１００μｍであることを特徴とする、
請求項１〜１６のいずれか１項に記載の電池。
【請求項１８】
請求項１〜１７の何れか１項に記載の電池を角形電池缶に収容し、ここに非水電解質を含む角形電池。
【請求項１９】
電池は、前記扁平部及び湾曲部を巻回方向に沿って順に有し、かつ、
前記絶縁テープの他端部は前記巻回方向から見て当該扁平部に続く前記湾曲部に位置する、
請求項３又は４に記載の電池。
【請求項２０】
前記湾曲部は折り返し領域を有し、前記負極の巻回終了部にある負極無地部が前記折り返し領域の近傍に位置し、かつ、
前記絶縁テープの他端部は、前記折り返し領域よりも前記巻回方向に伸びている、
請求項１９に記載の電池。